(57)【要約】      （修正有）【課題】最大切込み深さのバラツキを抑制することができ、更には、ベース底面に対する鋸刃側面の角度を傾斜させた際に、切込み深さを有効に設定することができ、のこ刃の最大突出量のバラツキを減らす携帯用電気丸鋸を提供する。【解決手段】回動軸部材５を支点とした回動時にソーカバー３の切断方向後方側下端部（突出部下端）が傾斜支点部材１０を保持するためのベース４上面に設けられた保持部１６上方に当接可能とした。【選択図】図１
2004330655.tif 000002
【特許請求の範囲】
【請求項１】
モータを収納するハウジングと、該モータにより回転駆動される鋸刃と、前記ハウジングに取付けられ、前記鋸刃外周のほぼ上側半分を覆う形状をし、前記鋸刃の一部を収納する鋸刃収納部を有したソーカバーと、前記ソーカバーと連結され、被切断材上を摺動可能な底面を持ち、前記鋸刃を前記底面より下方に突出可能なベースとを有し、前記ソーカバーの切断方向前方において前記鋸刃の回動軸とほぼ平行に延びる回動軸部材を支点として前記ソーカバーと前記ベースとが相対回動可能で前記ベース底面からの前記鋸刃の突出量を調整可能で、且つ前記鋸刃を挟むように前記ベース上の切断方向前後に配置された２つの傾斜支点部材を支点として前記ソーカバーと前記ベースとが相対回動可能で前記ベース底面に対する前記鋸刃側面の角度を調整可能な構成をした携帯用電気切断機であって、前記回動軸部材を支点とした前記回動時に前記ソーカバーの切断方向後方側下端部が前記傾斜支点部材を保持するための前記ベース上面に設けられた保持部上方に当接可能としたことを特徴とする携帯用電気切断機。
【請求項２】
前記ソーカバーの切断方向後方側下端に前記ベース側に向かって突出する突出部を設けたことを特徴とする請求項１記載の携帯用切断機。
【請求項３】
前記ベースはアルミ製であることを特徴とする請求項１あるいは請求項２記載の携帯用切断機。
【請求項４】
前記保持部の、前記ベース底面に対する前記鋸刃側面の角度が直角である際に前記ソーカバーの切断方向後方側下端部が当接可能な第１の外形部分と、前記ベース底面に対する前記鋸刃側面の角度が最大に傾斜した際に前記ソーカバーの切断方向後方側下端部が当接可能な第２の外形部分とでは、前記傾斜支点部中心からの距離が異なることを特徴とする請求項１〜請求項３のいずれか１項記載の携帯用電気切断機。
【請求項５】
前記保持部の前記第１の外形部分よりも前記第２の外形部分が前記傾斜支点部中心からの距離が小さいことを特徴とする請求項４記載の携帯用電気切断機。
【発明の詳細な説明】
【０００１】
【発明の属する技術分野】
本発明は、ベース底面からの鋸刃の突出量の調整及びベース底面に対する鋸刃側面の角度を調整が可能な携帯用電気切断機（以下、携帯用電気丸鋸と言う）に関するものである。
【０００２】
【従来の技術】
従来の携帯用電気丸鋸の一例を図１、図７〜図１１を用いて以下説明する。
【０００３】
なお、図１は携帯用電気丸鋸の一例を示す斜視図、図７は従来の携帯用電気丸鋸の一例を示す左側面図、図８は従来の携帯用電気丸鋸の一例を示す正面縦断面図、図９は図８のＥ部拡大図、図１０は図７に示す携帯用電気丸鋸であって、ベースとハウジングとを相対回転させ、ベース底面に対する鋸刃側面の角度を傾斜させた状態を示す左側面図、図１１は図１０の縦断面図である。
【０００４】
携帯用電気丸鋸は、図示しないモータを収納するハウジング１と、モータ１により回転駆動される鋸刃２と、ハウジング１に取付けられ、鋸刃２外周のほぼ上側半分を覆う形状をし、鋸刃２の一部を収納する鋸刃収納部３ａを有したソーカバー３と、ハウジング１と連結され、被切断材上を摺動可能な底面４ａを持ち、鋸刃２を底面４ａより下方に突出可能な開口部４ｂを有するベース４とを有する構成をしている。
【０００５】
ソーカバー３の切断方向前方側（図１の右側）端部付近に設けられた図示しない穴に挿入された回動軸部材５と、回動軸部材５を保持するヒンジ保持部６と、ベース４上に突出した保持部１５に保持されヒンジ保持部６と相対回動可能に連結された回動支点部材であるピン７とを介してソーカバー３は切断方向前方側においてベース４と連結されている。切断方向後方側（図１の左側）においては、上方端部が鋸刃収納部３ａ内に収納され、ソーカバー３と相対移動可能でソーカバー３に設けられたボルト８によってソーカバー３との位置関係が固定されるリンク９と、ベース４上に突出した保持部１６に保持されリンク９と相対回動可能に連結された回動支点部材であるピン１０を介してソーカバー３とベース４とは連結されている。
【０００６】
このように鋸刃２を挟んで切断方向前後でソーカバー３とベース４とは連結され、ソーカバー３を介してベース３とハウジング１とは連結されている。
【０００７】
リンク９には長穴９ａが設けられており、ソーカバー３に設けられたボルト８は長穴９ａ内に挿入されている。ボルト８を緩めた状態とすることにより、ソーカバー３とベース４とを回動軸部材５を支点として相対回動させることができ、ベース４の底面４ａから突出する鋸刃２の突出量、すなわち切込み量を調整することができるようになっている。
【０００８】
ヒンジ保持部６近傍には、ピン７を中心とした円弧状の長穴１１ａを有するベベルプレート１１がベース４上に突設されており、長穴１１ａ内には、ヒンジ保持部６に取付けられたボルト１２が挿入されており、ボルト１２を締め付けることによりヒンジ保持部６とベベルプレート１１との位置関係を固定することができるようになっており、ボルト１２を緩めることにより、ソーカバー３とベース４とを回動支点部材であるピン７及びピン９を支点として相対回動させることができ、ベース４の底面４ａに対する鋸刃４側面の角度を調整することができるようになっている。
【０００９】
図７に示す状態は、切込み深さが最大切込み深さＨ１に設定された状態、すなわち、ボルト８を緩め回動軸部材５を支点としてソーカバー３とベース４とを鋸刃２がベース４底面４ａより突出する方向へ最大に回動させた状態を示すものであるが、この鋸刃２がベース４底面４ａより突出する方向への回動位置の規制をリンク９の長穴９ａのベース４側下端にボルト８が当接することにより行っていた。
【００１０】
【発明が解決しようとする課題】
上記したように従来の携帯用電気丸鋸では、最大切込み深さＨ１がリンク９の一部にボルト８が当接することにより決定されていたものであるが、このような構成の場合、鋸刃２の最大突出量には、図７〜図１０に示すように、ベース４底面４ａからピン１０の中心までの寸法ａ、ピン１０を保持する保持部１６の保持穴１６ａの内径寸法φｃ、保持穴１６ａ内におけるピン１０の外径寸法φｂ、リンク９との連結部分におけるピン１０の外径寸法φｄ、ピン１０との連結部分におけるリンク９の内径寸法φｅ、ピン１０の中心からリンク９の長穴９ａのベース４側下端までの寸法ｆ、ソーカバー３に設けられたボルト８を保持する保持穴３ｂの内径寸法φｈ、ボルト８の外径寸法φｇ、鋸刃２の外径寸法φｊ等によって決定されるものであるが、同時にこれらの部品のバラツキが含まれてくるため、鋸刃２の最大突出量Ｈ１にバラツキが発生してしまうものであった。
【００１１】
また、図１０及び図１１に示すようにベース４の底面４ａに対する鋸刃２の側面の角度がθとなるように傾斜させた場合には、ベース２上面とハウジング１側の他部品との隙間δ２がδ２’と広がり、切込み深さＨ２を更に深くすることもできるようになるが、直角時と同様にリンク９の長穴９ａのベース４側下端とボルト８が当接しているため、切込み深さを増すことができないものであった。
【００１２】
更に、図１２〜図１４に示すように、鋸刃２がベース４の底面に対し９０°の時と、携帯用切断機の傾斜切断において最も頻繁に使用される４５°傾斜の時の切断位置が同位置になるように傾斜支点位置を設定された携帯用電気丸鋸の場合、鋸刃２を傾斜させたとすると図１３のようにソーカバー３とベース４が接触してしまうため、図１４に示すように作業者がハウジング１とベース４とが接触しないように切込み深さを減らす方向に回動軸部材５を支点としてソーカバー３とベース４とを相対回動させながら、傾斜角度の調整を行う必要があった。
【００１３】
本発明の目的は、上記欠点を解消し、最大切込み深さのバラツキを抑制することができる携帯用電気丸鋸を提供することである。
【００１４】
更には、ベース底面に対する鋸刃側面の角度を傾斜させた際に、切込み深さを有効に設定することができる携帯用電気丸鋸を提供することである。
【００１５】
【課題を解決するための手段】
上記目的は、回動軸部材を支点とした回動時にソーカバーの切断方向後方側下端部が傾斜支点部材を保持するためのベース上面に設けられた保持部上方に当接可能とすることにより達成される。
【００１６】
ここで、ソーカバーの切断方向後方側下端にベース側に向かって突出する突出部を設けることが好ましい。
【００１７】
また、ベースはアルミ製であることが好ましい。
【００１８】
また、保持部の、ベース底面に対する鋸刃側面の角度が直角である際にソーカバーの切断方向後方側下端部が当接可能な第１の外形部分と、ベース底面に対する鋸刃側面の角度が最大に傾斜した際にソーカバーの切断方向後方側下端部が当接可能な第２の外形部分とでは、傾斜支点部中心からの距離が異なる形状とすることが好ましい。
【００１９】
また、保持部の第１の外形部分よりも第２の外形部分が傾斜支点部中心からの距離が小さい形状とすることが好ましい。
【００２０】
【発明の実施の形態】
本発明携帯用電気丸鋸の一実施形態を図１〜図６を用いて以下説明する。
【００２１】
携帯用電気丸鋸は、図示しないモータを収納するハウジング１と、モータ１により回転駆動される鋸刃２と、ハウジング１に取付けられ、鋸刃２外周のほぼ上側半分を覆う形状をし、鋸刃２の一部を収納する鋸刃収納部３ａを有したソーカバー３と、ハウジング１と連結され、被切断材上を摺動可能な底面４ａを持ち、鋸刃２を底面４ａより下方に突出可能な開口部４ｂを有するベース４とを有する構成をしている。
【００２２】
ソーカバー３の切断方向前方側（図１の右側）端部付近に設けられた図示しない穴に挿入された回動軸部材５と、回動軸部材５を保持するヒンジ保持部６と、ベース４上に突出した保持部１５に保持されヒンジ保持部６と相対回動可能に連結された回動支点部材であるピン７とを介してソーカバー３は切断方向前方側においてベース４と連結されている。
【００２３】
なお、回動軸部材５は鋸刃２の回動軸とほぼ平行に延びるよう配置されている。
【００２４】
切断方向後方側（図１の左側）においては、上方端部が鋸刃収納部３ａ内に収納され、ソーカバー３と相対移動可能でソーカバー３に設けられたボルト８によってソーカバー３との位置関係が固定されるリンク９と、ベース４上に突出した保持部１６に保持されリンク９と相対回動可能に連結された回動支点部材であるピン１０を介してソーカバー３とベース４とは連結されている。このように鋸刃２を挟んで切断方向前後でソーカバー３とベース４とは連結され、ソーカバー３を介してベース３とハウジング１とは連結されている。
【００２５】
リンク９には長穴９ａが設けられており、ソーカバー３に設けられたボルト８は長穴９ａ内に挿入されている。ボルト８を緩めた状態とすることにより、ソーカバー３とベース４とを回動軸部材５を支点として相対回動させることができ、ベース４の底面４ａから突出する鋸刃２の突出量、すなわち切込み量を調整することができるようになっている。
【００２６】
ヒンジ保持部６近傍には、ピン７を中心とした円弧状の長穴１１ａを有するベベルプレート１１がベース４上に突設されており、長穴１１ａ内には、ヒンジ保持部６に取付けられたボルト１２が挿入されており、ボルト１２を締め付けることによりヒンジ保持部６とベベルプレート１１との位置関係を固定することができるようになっている。
【００２７】
また、リンク９近傍には、ピン１０を中心とした円弧状の長穴１３ａを有するベベルプレート１３がベース４上に突設されており、長穴１３ａ内には、リンク９に取付けられたボルト１４が挿入されており、ボルト１４を締め付けることによりリンク９とベベルプレート１３との位置関係を固定することができるようになっている。
【００２８】
ボルト１２及びボルト１４を緩めることにより、ソーカバー３とベース４とを回動支点部材であるピン７及びピン９を支点として相対回動させることができ、ベース４の底面４ａに対する鋸刃４側面の角度を調整することができるようになっている。
【００２９】
本実施形態のように、鋸刃２を挟んだ切断方向前後のベース４上にそれぞれベベルプレート１１及び１３を設けた構成とすることにより、本体に加わる荷重等によって設定したベース４底面４ａに対する鋸刃２側面の角度にズレが生じてしまうことを抑制することができる。
【００３０】
なお、本実施形態のベース４は、アルミ製のものであり、鉄板製のベースに比べ変形が少なく高強度であると共に、機械加工により面精度を向上させることができるものであり精度が要求される作業に適した携帯用電気丸鋸となっている。
【００３１】
ソーカバー３の切断方向後方側下端であって、鋸刃収納部３ａの切断方向方側の壁面下端には、図２に示すように、ベース４側に向かって図示下方に突出した突出部３ｃが設けられている。
【００３２】
図２に示す状態は、切込み深さが最大に設定された状態であるが、図に示すようにソーカバー３の突出部３ｃはその下端が、傾斜支点部材であるピン１０を保持する保持部１６の上方部分（第１の外形部分）に当接している。
【００３３】
このように突出部３ｃの下端が、保持部材１６の上方部分に当接した状態においては、図４に示すようにボルト８とリンク９の長穴９ａのベース４側下端との間には隙間が生じるような設計となっている。
【００３４】
このような構成とすることにより、図４に示すように最大切込み深さには、ベース４底面４ａから保持部１６の外形部分までの寸法ｋ、鋸刃２の回動中心から突出部３ｃ下端までの距離ｌ、鋸刃２の外径寸法φｃ等が関係するものであるが、保持部１６の保持穴１６ａの加工位置、保持穴１６の内径寸法、ピン１０、リンク９、ボルト８及びソーカバー３の保持穴３ｂ等の精度に影響されず、最大切込み深さを決定することができるようになり、精度良く最大切込み深さの設定を行うことができ、作業性の向上を図ることができるようになる。
【００３５】
なお、図３は図２に示す状態より、ピン７及びピン１０を支点としてソーカバー３とベース４とを相対回動させ、ベース４底面４ａに対する鋸刃２側面の角度を本実施形態の携帯用電気丸鋸の傾斜最大角度である４５度に調整した状態を示すものである。
【００３６】
図に示すように、突出部３ｃ下端と保持部１６の外形部との間には隙間δ１が生じている。この状態から切込み深さ変更のための回動動作を行い、ソーカバー３をベース４側にδ１分回動させることにより、切込み深さをδ１・ｔａｎ４５度分大きくすることができ、切込み深さを有効に設定することができる。
【００３７】
これは、保持部１６の、ベース４底面４ａに対する鋸刃２側面の角度が直角である際にソーカバー３の突出部３ｃ下端が当接可能な第１の外形部分（図２の当接部分）と、ベース４底面４ａに対する鋸刃２側面の角度が最大に傾斜した際にソーカバー３の突出部３ｃ下端が当接可能な第２の外形部分（図３に示す状態から切込み深さを大きくする方向にソーカバー３とベース４とを相対回動させた際に突出部３ｃ下端が当接する部分）とでは、傾斜支点部中心からの距離が異なり、第２の外形部分の方が距離が小さいためである。
【００３８】
なお、保持部１６の外形部分が角形状である場合、傾斜角度の調整作業がスムーズに行うことができなくなってしまうが、本実施形態では図に示すように保持部１６の第１の外形部分と第２の外形部分とをなだらかな曲面で連結しており、傾斜角度の調整作業をスムーズに行うことができるようにしている。
【００３９】
次に図５及び図６を用いて本発明携帯用電気丸鋸の他の実施形態を説明する。
【００４０】
本実施形態の携帯用電気丸鋸は、ベース４底面４ａに対する鋸刃２側面の角度が直角である時と、４５度である時とで、ベース４底面４ａと鋸刃２の交点が同位置となるようにしたものであるが、保持部１６のベース４底面４ａに対する鋸刃２側面の角度が直角である際にソーカバー３の突出部３ｃ下端が当接可能な第１の外形部分（図５の当接部分）と、ベース４底面４ａに対する鋸刃２側面の角度が最大に傾斜した際にソーカバー３の突出部３ｃ下端が当接可能な第２の外形部分（図６の当接部分）とでは、傾斜支点部中心からの距離が第２の外形部分に向かうに従って大きくなるように形成されている。
【００４１】
このような構成とすることによって、ボルト８を緩め切込み深さ調整を可能とした状態で、突出部３ｃ下端を保持部１６の外形部に当接させながら傾斜角度調整作業を行うことにより、傾斜角度調整時にソーカバー３や他の部材がベース４に接触する等の不具合がおきることを防止することができ、作業性を向上させることができるようになる。
【００４２】
なお、上記では、ソーカバー３の切断方向後方下端に突出部３ｃを設けた構成としたが、突出部３ｃを設けずにソーカバー３の下端が直接保持部１６外形部に当接する構成であっても良い。
【００４３】
【発明の効果】
本発明によれば、最大切込み設定時にはソーカバーとベースが当接することにより、最大切込み量に関わる部品点数を減らすことができ、これらの部品のバラツキを排除し、最大切込み量のバラツキを抑制した携帯用電気丸鋸を提供することができるようになる。
【００４４】
また、ベースの当接部形状により鋸刃の傾斜と共に当接部と傾斜支点までの距離を変化させることが出来るようになり、傾斜時のベースと本体の隙間を常に確保しつつ、のこ刃の最大突出量を大きく設定できるようになる。
【図面の簡単な説明】
【図１】本発明携帯用電気丸鋸の一例を示す斜視図。
【図２】本発明携帯用電気丸鋸の一実施形態を示す左側面図。
【図３】図２に示す状態からソーカバーとベースとを相対回動させ、ベース底面に対して鋸刃側面を４５度傾斜させた状態を示す左側面図。
【図４】本発明携帯用電気丸のこの一実施形態を示す正面縦断面図。
【図５】本発明携帯用電気丸鋸の他の実施形態を示す左側面図。
【図６】図５に示す状態からソーカバーとベースとを相対回動させ、ベース底面に対して鋸刃側面を４５度傾斜させた状態を示す左側面図。
【図７】従来の携帯用電気丸鋸の一例を示す左側面図。
【図８】従来の携帯用電気丸鋸の一例を示す正面縦断面図。
【図９】図１０のＥ部拡大図。
【図１０】図８に示す状態からソーカバーとベースとを相対回動させ、ベース底面に対して鋸刃側面をθ傾斜させた状態を示す左側面図。
【図１１】図１０の一部断面図。
【図１２】従来の携帯用電気丸鋸の他の例を示す左側面図。
【図１３】図１２に示す状態からソーカバーとベースとを傾斜支点を支点として回動させた場合の状態を表す関係図。
【図１４】図１２に示す携帯用電気丸鋸において傾斜角度を４５度に設定した状態を示す左側面図。
【符号の説明】
１はハウジング、２は鋸刃、３はソーカバー、３ａは鋸刃収納部、３ｂは保持穴、３ｃは突出部、４はベース、４ａは底面、４ｂは開口部、５は回動軸部材、６はヒンジ保持部、７はピン、８はボルト、９はリンク、９ａは長穴、１０はピン、１１はベベルプレート、１１ａは長穴、１２はボルト、１３はベベルプレート、１３ａは長穴、１４はボルト、１５は保持部、１６は保持部、１６ａは保持穴である。
【図１】
2004330655.tif 000003
【図２】
2004330655.tif 000004
【図３】
2004330655.tif 000005
【図４】
2004330655.tif 000006
【図５】
2004330655.tif 000007
【図６】
2004330655.tif 000008
【図７】
2004330655.tif 000009
【図８】
2004330655.tif 000010
【図９】
2004330655.tif 000011
【図１０】
2004330655.tif 000012
【図１１】
2004330655.tif 000013
【図１２】
2004330655.tif 000014
【図１３】
2004330655.tif 000015
【図１４】
2004330655.tif 000016